(57)【要約】      （修正有）【課題】画像送信機能を備え、送信用フォルダに格納したファイルを指定された送信先へ送信することができる、操作性に優れた、データ転送装置を提供する。【解決手段】データ転送装置は、管理部と、転送部とを含む。前記管理部は、送信用フォルダと複数の出力条件とを対応付けて管理する。前記転送部は、前記複数の出力条件に基づき前記送信用フォルダに格納された１以上のファイルを転送する。【選択図】図１
2011172229.tif 000002
【特許請求の範囲】
【請求項１】
送信用フォルダと複数の出力条件とを対応付けて管理する管理部と、
前記複数の出力条件に基づき前記送信用フォルダに格納された１以上のファイルを転送する転送部と、
を備えるデータ転送装置。
【請求項２】
前記管理部は、前記送信用フォルダと１以上の送信先を示す第１の出力条件とを対応付けて管理し、
前記転送部は、前記第１の出力条件に基づき前記送信先に対して前記送信用フォルダに格納された１以上のファイルを転送する請求項１記載のデータ転送装置。
【請求項３】
フォルダ処理部を備え、
前記管理部は、前記送信用フォルダと１以上の送信先を示す第１の出力条件とを対応付けて管理し、前記送信用フォルダと圧縮転送を示す第２の出力条件とを対応付けて管理し、
前記フォルダ処理部は、前記第２の出力条件に基づき前記送信用フォルダに格納された第１のフォルダを圧縮し、前記第１のフォルダに対応した第１の圧縮ファイルを生成し、
前記転送部は、前記第１の出力条件に基づき前記送信先に対して前記第１の圧縮ファイル、及び前記第１のフォルダに格納された第２のファイルを転送する請求項１記載のデータ転送装置。
【請求項４】
前記管理部は、前記送信用フォルダと前記送信用フォルダの名前を送信先に設定するための第１の出力条件とを対応付けて管理し、
前記転送部は、前記第１の出力条件に基づき前記送信用フォルダの名前から設定されたフォルダ名送信先に対して前記送信用フォルダに格納された１以上のファイルを転送する請求項１記載のデータ転送装置。
【請求項５】
前記管理部は、第１の送信用フォルダと１以上の送信先を示す第１の出力条件とを対応付けて管理し、第２の送信用フォルダと前記第２の送信用フォルダの名前を送信先に設定するための第２の出力条件とを対応付けて管理し、
前記転送部は、前記第１の出力条件に基づき前記送信先に対して前記第１の送信用フォルダに格納された１以上のファイルを転送し、前記第２の出力条件に基づき前記第２の送信用フォルダの名前から設定されたフォルダ名送信先に対して前記第２の送信用フォルダに格納された１以上のファイルを転送する請求項１記載のデータ転送装置。
【請求項６】
前記管理部は、前記送信用フォルダと１以上の送信先を示す第１の出力条件とを対応付けて管理し、前記送信用フォルダとプリントアウトを示す第２の出力条件とを対応付けて管理し、
前記転送部は、前記第１及び第２の出力条件に基づき前記送信先に対して前記送信用フォルダに格納された１以上のファイルを転送するとともに、前記送信先に対して転送ファイルのプリントアウトを指示する請求項１記載のデータ転送装置。
【請求項７】
送信用フォルダと複数の出力条件とを対応付けて管理し、
前記複数の出力条件に基づき前記送信用フォルダに格納された１以上のファイルを転送するデータ転送方法。
【請求項８】
前記送信用フォルダと１以上の送信先を示す第１の出力条件とを対応付けて管理し、
前記第１の出力条件に基づき前記送信先に対して前記送信用フォルダに格納された１以上のファイルを転送する請求項７記載のデータ転送方法。
【請求項９】
前記送信用フォルダと１以上の送信先を示す第１の出力条件とを対応付けて管理し、前記送信用フォルダと圧縮転送を示す第２の出力条件とを対応付けて管理し、
前記第２の出力条件に基づき前記送信用フォルダに格納された第１のフォルダを圧縮し、前記第１のフォルダに対応した第１の圧縮ファイルを生成し、
前記第１の出力条件に基づき前記送信先に対して前記第１の圧縮ファイル、及び前記第１のフォルダに格納された第２のファイルを転送する請求項７記載のデータ転送方法。
【請求項１０】
前記送信用フォルダと前記送信用フォルダの名前を送信先に設定するための第１の出力条件とを対応付けて管理し、
前記第１の出力条件に基づき前記送信用フォルダの名前から設定されたフォルダ名送信先に対して前記送信用フォルダに格納された１以上のファイルを転送する請求項７記載のデータ転送方法。
【請求項１１】
第１の送信用フォルダと１以上の送信先を示す第１の出力条件とを対応付けて管理し、第２の送信用フォルダと前記第２の送信用フォルダの名前を送信先に設定するための第２の出力条件とを対応付けて管理し、
前記第１の出力条件に基づき前記送信先に対して前記第１の送信用フォルダに格納された１以上のファイルを転送し、前記第２の出力条件に基づき前記第２の送信用フォルダの名前から設定されたフォルダ名送信先に対して前記第２の送信用フォルダに格納された１以上のファイルを転送する請求項７記載のデータ転送方法。
【請求項１２】
前記送信用フォルダと１以上の送信先を示す第１の出力条件とを対応付けて管理し、前記送信用フォルダとプリントアウトを示す第２の出力条件とを対応付けて管理し、
前記第１及び第２の出力条件に基づき前記送信先に対して前記送信用フォルダに格納された１以上のファイルを転送するとともに、前記送信先に対して転送ファイルのプリントアウトを指示する請求項７記載のデータ転送方法。
【発明の詳細な説明】
【技術分野】
【０００１】
本発明の実施形態は、データ転送装置及びデータ転送方法に関する。
【背景技術】
【０００２】
近年、画像送信技術に関する各種提案がなされている。例えば、画像送信装置は、ネットワークを利用したファイル共有機能を備え、ネットワーク共有フォルダに格納したファイルをネットワーク経由で外部機器と共有することができる。
【０００３】
また、画像送信装置は、ネットワークを利用した画像送信機能を備え、送信用フォルダに格納したファイルを指定された送信先（電話番号又はメールアドレス）へ送信することができる。この場合、送信用フォルダへファイルを格納するための操作、及び送信用フォルダに格納されたファイルの送信先を指定するための操作等が生じる。
【０００４】
また、画像送信装置は、スキャナを備え、スキャナにより読み取られた画像データを指定された送信先へ送信することができる。この場合、画像の読み取りに対応してリアルタイムに画像データが送信されるが、読み取った画像データはフォルダ等に蓄積されない。
【先行技術文献】
【特許文献】
【０００５】
【特許文献１】特開平７−１３１５７２号公報
【発明の概要】
【発明が解決しようとする課題】
【０００６】
上記したように不便な点が挙げられており、その改善が要望されている。
【０００７】
本発明が解決しようとする課題は、データ転送に優れたデータ転送装置及びデータ転送方法を提供することである。
【課題を解決するための手段】
【０００８】
実施形態のデータ転送装置は、管理部と、転送部とを含む。前記管理部は、送信用フォルダと複数の出力条件とを対応付けて管理する。前記転送部は、前記複数の出力条件に基づき前記送信用フォルダに格納された１以上のファイルを転送する。
【図面の簡単な説明】
【０００９】
【図１】第１及び第２の実施形態に係る画像送信システムの概略構成の一例を示す図である。
【図２】第１の実施形態に係る画像転送の一例を説明するための図である。
【図３】第１の実施形態に係る画像転送の一例を説明するためのフローチャートである。
【図４】第２の実施形態に係るネットワーク上に公開するネットワーク共有フォルダの構成の一例を示す図である。
【図５】第２の実施形態に係る画像転送の一例を説明するためのフローチャートである。
【図６】ファイル管理情報が管理するフォルダの設定画面の一例である。
【発明を実施するための形態】
【００１０】
以下、図面を参照して、各実施形態について説明する。
【００１１】
図１は、第１及び第２の実施形態に係る画像送信システムの概略構成の一例を示す図である。図１に示すように、画像送受信システムは、ＭＦＰ（マルチファンクションプリンタ）などの画像処理装置（画像転送装置）１００及び画像処理装置２００により構成されている。画像処理装置１００と画像処理装置２００とは、ネットワークを介して接続される。例えば、画像処理装置１００は、各種データを送信し、画像処理装置２００は、各種データを受信する。
【００１２】
なお、画像処理装置１００と画像処理装置２００の通信経路には、各種通信機器が介在することも考えられる。例えば、画像処理装置１００は、１以上の各種通信機器（ゲートウェイ（Ｇ／Ｗ）、ＮＧＮ（next generation network））を介して、画像処理装置２００に対して各種データを送信する。つまり、画像処理装置２００は、１以上の各種通信機器を介して、各種データを受信する。
【００１３】
なお、画像処理装置１００が送信機となり、画像処理装置２００が受信機となるデータ通信について説明するが、画像処理装置１００、２００のデータ通信だけに限定されるものではない。例えば、画像処理装置１００、２００のうちの一方だけをパーソナルコンピュータ等の各種通信機器に置き換えることもできるし、両方を各種通信機器に置き換えることもできる。
【００１４】
図１に示すように、画像処理装置１００は、システム制御部１０１、画像読取部１０２、データ処理部１０３、データ記憶部１０４、画像形成部１０５、通信部１０６、コントロールパネル１０７を備えている。
【００１５】
システム制御部１０１は、ＣＰＵ１０１１、ＲＯＭ１０１２、ＲＡＭ１０１３、不揮発性メモリ１０１４を備え、ＣＰＵ１０１１は、コントロールパネル１０７を介した各種入力に応じて、画像読取部１０２による画像読取、画像形成部１０５による画像形成、データ処理部１０３によるデータ処理、及び通信部１０６による通信等を制御する。
【００１６】
画像読取部１０２は、ＣＰＵ１０１１からの指示に基づき、原稿画像を読み取り、原稿画像に対応する画像データを出力し、データ記憶部１０４は、前記画像データを記憶する。また、データ処理部１０３は、ＣＰＵ１０１１からの指示に基づき、前記画像データを圧縮し、圧縮画像データを生成する。また、画像形成部１０５は、ＣＰＵ１０１１からの指示に基づき、前記画像データに基づく画像を形成する。
【００１７】
通信部１０６は、ネットワークを介して各種通信機器と通信し、各種通信機器に対して画像データを送信したり、各種通信機器から送信される画像データを受信したりする。
【００１８】
（第１の実施形態）
例えば、画像処理装置１００のデータ記憶部１０４は、図２（送信元）に示すような構成のデータを記憶する。つまり、データ記憶部１０４は、ワンステップ送信フォルダを記憶し、ワンステップ送信フォルダに属するＦｉｌｅ＿Ａ及びフォルダａｂｃ（サブフォルダ）を記憶し、フォルダａｂｃに属するＦｉｌｅ＿Ａ及びＦｉｌｅ＿Ｂを記憶する。ワンステップ送信フォルダに属するＦｉｌｅ＿Ａと、フォルダａｂｃに属するＦｉｌｅ＿Ａとは、同一ファイル名であるが、内容の異なるファイルである。以下、説明を分かりやすくするために、フォルダａｂｃに属するＦｉｌｅ＿ＡをＦｉｌｅ＿Ａ’と定義する。なお、Ｆｉｌｅ＿Ａ、Ｆｉｌｅ＿Ａ’、Ｆｉｌｅ＿Ｂは、ファイル名に拡張子を有するファイルである。
【００１９】
例えば、画像処理装置１００の不揮発性メモリ１０１４は、ファイル管理情報を記憶する。ＣＰＵ１０１１は、ファイル管理情報に基づきファイルを管理する。例えば、ファイル管理情報は、第１の格納制御情報を含む。第１の格納制御情報は、読取画像をフォルダａｂｃに格納することを指示する情報である。ＣＰＵ１０１１は、第１の格納制御情報に基づき、画像読取部１０２の読取により獲得された画像データ（Ｆｉｌｅ＿Ａ）をフォルダａｂｃに格納する。また、ファイル管理情報は、第２の格納制御情報を含む。第２の格納制御情報は、受信画像をワンステップ送信フォルダに格納することを指示する情報である。ＣＰＵ１０１１は、第２の格納制御情報に基づき、通信部１０６により受信された各種ネットワーク機器からの画像データ（Ｆｉｌｅ＿Ａ’、Ｆｉｌｅ＿Ｂ）をフォルダａｂｃに格納する。
【００２０】
また、ファイル管理情報は、第１の出力制御情報（出力条件）を含む。第１の出力制御情報は、ワンステップ送信フォルダの出力（送信）を制御するための情報であり、ワンステップ送信フォルダに格納された１以上のファイルの１以上の送信先（電話番号、メールアドレス等）を示す情報を含む。
【００２１】
さらに、ファイル管理情報は、第２の出力制御情報（出力条件）を含む。第２の出力制御情報は、ワンステップ送信フォルダの出力（送信）を制御するための情報であり、ワンステップ送信フォルダに格納された１以上のサブフォルダの夫々を１ファイルへ変換して変換されたファイルを転送する変換転送を示す情報を含む。一例を挙げると、第２の出力制御情報は、ワンステップ送信フォルダに格納されたサブフォルダを圧縮し圧縮ファイルを生成し圧縮ファイルを転送する圧縮転送を示す情報を含む。
【００２２】
また、ＣＰＵ１０１１は、第２の出力制御情報に基づき、ワンステップ送信フォルダに格納されたサブフォルダをファイルへ変換する旨を指示し、これに対応して、データ処理部１０３が、ワンステップ送信フォルダに格納されたサブフォルダをファイルへ変換する。例えば、ＣＰＵ１０１１は、第２の出力制御情報に基づき、ワンステップ送信フォルダに格納されたフォルダａｂｃを圧縮して圧縮ファイルａｂｃを生成する旨を指示する。これに対応して、データ処理部１０３は、フォルダａｂｃを圧縮し、フォルダａｂｃに対応した圧縮ファイルａｂｃを生成する。例えば、データ処理部１０３は、フォルダａｂｃに格納されたＦｉｌｅ＿Ａ’とＦｉｌｅ＿Ｂとを圧縮して圧縮ファイルａｂｃを生成する。つまり、圧縮ファイルａｂｃは、Ｆｉｌｅ＿Ａ’とＦｉｌｅ＿Ｂとの圧縮データを含む。なお、圧縮ファイルａｂｃは、拡張子を有するファイルである。
【００２３】
さらに、ＣＰＵ１０１１は、第１の出力制御情報に基づき、前記送信先に対してワンステップ送信フォルダに格納されたＦｉｌｅ＿Ａ、及び圧縮ファイルａｂｃを送信（転送）するように制御する。これに対応して、通信部１０６は、前記送信先に対してワンステップ送信フォルダに格納されたＦｉｌｅ＿Ａ及び圧縮ファイルａｂｃを送信（転送）する。
【００２４】
例えば、画像処理装置２００が、前記送信先に該当する場合、画像処理装置２００は、Ｆｉｌｅ＿Ａ及び圧縮ファイルａｂｃを受信し、画像処理装置２００のデータ記憶部２０４は、図２（受信先、圧縮転送適用あり）に示すような構成のデータを記憶する。つまり、画像処理装置２００のデータ記憶部２０４は、ファイル＿Ａ及びフォルダａｂｃ．ｚｉｐ（圧縮ファイルａｂｃ）を記憶し、フォルダａｂｃ．ｚｉｐ（圧縮ファイルａｂｃ）は、Ｆｉｌｅ＿Ａ’とＦｉｌｅ＿Ｂとの圧縮データを含む。さらに、画像処理装置２００のデータ処理部２０３は、フォルダａｂｃ．ｚｉｐ（圧縮ファイルａｂｃ）を伸長し、Ｆｉｌｅ＿Ａ’とＦｉｌｅ＿Ｂとを含むフォルダａｂｃを生成する。これにより、画像処理装置２００のデータ記憶部２０４は、データ処理装置１００のデータ記憶部１０４に記憶されたデータ構成を構築（記憶）することができる。
【００２５】
上記したように、画像処理装置１００は、第１及び第２の出力制御情報により、ワンステップ送信フォルダに格納されたファイルを指定された送信先に自動送信（自動転送）するとともに、ワンステップ送信フォルダに格納されたサブフォルダを自動圧縮して、指定された送信先に自動送信（自動転送）することができる。言い換えれば、画像処理装置１００は、複数の出力条件（第１及び第２の出力制御情報）を設定可能なワンステップ送信フォルダを利用し、ワンステップ送信フォルダに格納された１以上のファイル及び１以上の圧縮ファイルを１以上の送信先に自動送信（自動転送）することができる。
【００２６】
なお、ＣＰＵ１０１１は、第２の出力制御情報に基づき、ワンステップ送信フォルダに格納された全てのサブフォルダを自動圧縮するように指示し、これに対応して、データ処理部１０３が、ワンステップ送信フォルダに格納された全てのサブフォルダを自動圧縮することができる。或いは、ＣＰＵ１０１１は、第２の出力制御情報に基づき、ワンステップ送信フォルダに格納された全てのサブフォルダのうち、ワンステップ送信フォルダに格納されたファイルと同じファイル名のファイルを格納した所定サブフォルダを自動圧縮するように指示し、これに対応して、データ処理部１０３が、ワンステップ送信フォルダに格納された全てのサブフォルダのうち上記所定サブフォルダだけを自動圧縮してもよい。
【００２７】
これに対して、画像処理装置１００が、第２の出力制御情報を設定しない場合、例えば、画像処理装置２００は、ワンステップ送信フォルダに格納されたＦｉｌｅ＿Ａと、ワンステップ送信フォルダの中のフォルダａｂｃに格納されたＦｉｌｅ＿Ａ’とを正しく受信できなくなる。
【００２８】
例えば、画像処理装置１００のＣＰＵ１０１１は、第１の出力制御情報に基づき（第２の出力制御情報は設定されていないため使用できない）、前記送信先に対してワンステップ送信フォルダに格納されたＦｉｌｅ＿Ａ及びフォルダａｂｃ（又はＦｉｌｅ＿Ａ、Ｆｉｌｅ＿Ａ’、Ｆｉｌｅ＿Ｂ）を送信（転送）するように制御する。これに対応して、通信部１０６は、前記送信先に対してワンステップ送信フォルダに格納されたＦｉｌｅ＿Ａ及びフォルダａｂｃ（又はＦｉｌｅ＿Ａ、Ｆｉｌｅ＿Ａ’、Ｆｉｌｅ＿Ｂ）を送信（転送）する。
【００２９】
例えば、画像処理装置２００が、前記送信先に該当する場合、画像処理装置２００は、Ｆｉｌｅ＿Ａ及びフォルダａｂｃ（又はＦｉｌｅ＿Ａ、Ｆｉｌｅ＿Ａ’、Ｆｉｌｅ＿Ｂ）を受信し、画像処理装置２００のデータ記憶部２０４は、図２（受信先（圧縮転送適用なし））に示すような構成のデータを記憶する。つまり、画像処理装置２００のデータ記憶部２０４は、ファイル＿Ａ、ファイル＿Ａ、ファイル＿Ｂを記憶する。画像処理装置２００は、フォルダａｂｃを削除し、Ｆｉｌｅ＿Ａ、Ｆｉｌｅ＿Ａ’を同一ファイルとみなし、例えば、Ｆｉｌｅ＿Ａ’をＦｉｌｅ＿Ａで上書きしてしまう。
【００３０】
このように、圧縮転送を適用しないと、画像処理装置２００は、ワンステップ送信フォルダに格納されたＦｉｌｅ＿Ａと、ワンステップ送信フォルダの中のフォルダａｂｃに格納されたＦｉｌｅ＿Ａ’とを正しく受信できなくなることがある。
【００３１】
次に図３を参照し、第１の実施形態に係るデータ転送の一例について説明する。例えば、画像処理装置１００のＣＰＵ１０１１は、ワンステップ送信フォルダを監視する。
【００３２】
例えば、ネットワークに接続された画像入力装置が、ワンステップ送信フォルダを宛先として画像ファイル（例えば、Ｆｉｌｅ＿Ａ’）を転送した場合（ＡＣＴ１１）、画像処理装置１００の通信部１０６は、前記画像ファイルを受信し、ＣＰＵ１０１１は、ワンステップ送信フォルダのフォルダａｂｃに画像ファイルを格納するよう制御し、フォルダａｂｃに画像ファイルが格納される。
【００３３】
ＣＰＵ１０１１は、第１、第２の出力制御情報、及びワンステップ送信フォルダの状況に基づき、圧縮転送を適用すべきか否か判定する。例えば、ＣＰＵ１０１１は、ワンステップ送信フォルダ中に、サブフォルダが形成されている場合には、圧縮転送を適用することを決定する。或いは、ＣＰＵ１０１１は、ワンステップ送信フォルダ中のサブフォルダの少なくとも１ファイルのファイル名が、ワンステップ送信フォルダ中の少なくとも１ファイルのファイル名と同一である場合には、圧縮転送を適用することを決定する。
【００３４】
ＣＰＵ１０１１は、第１、第２の出力制御情報、及び圧縮転送の決定に基づき、ワンステップ送信フォルダに格納されたサブフォルダを圧縮する旨を指示し（ＡＣＴ１２、ＹＥＳ、ＡＣＴ１３、ＹＥＳ）、これに対応して、データ処理部１０３が、ワンステップ送信フォルダに格納されたサブフォルダを圧縮し、前記サブフォルダに対応した圧縮ファイルを生成する（ＡＣＴ１４）。
【００３５】
さらに、ＣＰＵ１０１１は、第１の出力制御情報に基づき、送信先に対してワンステップ送信フォルダに格納されたファイル及び圧縮ファイルを送信（転送）するように制御する。これに対応して、通信部１０６は、前記送信先に対してワンステップ送信フォルダに格納されたファイル及び圧縮ファイルを送信（転送）する（ＡＣＴ１５）。
【００３６】
以下、第１の実施形態についてまとめる。
【００３７】
第１の実施形態の画像処理装置（画像転送装置）は、ネットワークに接続され、ネットワーク共有フォルダを備え、ネットワーク共有フォルダと通信相手先のアドレス(IPv4/IPv6)又は電話番号情報とを関連付けて管理する。例えば、ネットワークに接続されたネットワーク機器が、ネットワークファイル転送プロトコル(SMB又はNFS)を使用して、上記ネットワーク共有フォルダにファイルを格納する。これに対応して、画像処理装置（画像転送装置）は、ネットワーク共有フォルダに関連付けられたアドレス又は電話番号情報を用いて、ネットワーク共有フォルダに格納されたファイルを自動転送する。つまり、ネットワーク共有フォルダにファイルが格納されてから、ユーザが通信相手先を指定しなくても、画像処理装置（画像転送装置）は、ネットワーク共有フォルダに関連付けられたアドレス又は電話番号情報に基づき、ネットワーク共有フォルダに格納されたファイルを自動転送する。
【００３８】
しかも、画像処理装置（画像転送装置）は、ネットワーク共有フォルダに格納されたフォルダを圧縮して圧縮ファイルを生成し、ネットワーク共有フォルダに関連付けられたアドレス又は電話番号情報に基づき、圧縮ファイルを自動転送する。これにより、ネットワーク共有フォルダ傘下に多数のサブフォルダが作成されていて、ネットワーク共有フォルダ傘下のファイルのファイル名と、所定サブフォルダ傘下のファイルのファイル名とが同一であっても、画像処理装置（画像転送装置）は、これらファイルを正しく送信することができる。また、画像処理装置（画像受信装置）は、これらファイルを誤って上書きすることなく（ファイル名及びファイル内容が同一のファイルを複数作成してしまうことなく）、全てのファイルを正しく受信することができる（ファイル名が同一でファイル内容が異なる複数ファイルを正しく受信することができる）。
【００３９】
即ち、第１の実施形態の画像処理装置（画像転送装置）は、下記の通りである。
【００４０】
（１）画像処理装置（画像転送装置）は、ネットワーク上のファイル共有機能を備え、さらに、ネットワーク上の送信用フォルダにデータを格納し、送信用フォルダに格納されたデータを自動送信する送信機能を備える。
【００４１】
（２）また、画像処理装置（画像転送装置）は、送信用フォルダに複数のファイルが格納され、また、送信用フォルダにサブフォルダが構成され、サブフォルダに複数のファイルが格納され、例えば、同じファイル名のファイルが複数存在しても、送信用フォルダ内の全てのファイルを正しく送信することができる。例えば、画像処理装置は、送信用フォルダのサブフォルダ全体を丸ごと圧縮してサブフォルダを圧縮ファイルに変換し、圧縮ファイルを送信する。これにより、同一ファイル名の複数ファイルの上書きを防止することができる。
【００４２】
（３）また、画像受信装置は、圧縮ファイルを受信し、圧縮ファイルを復号化し、画像処理装置（画像転送装置）の送信用フォルダと実質的に同一構成のフォルダを構築することができる。
【００４３】
（第２の実施形態）
例えば、画像処理装置１００のデータ記憶部１０４は、ネットワーク上に公開するネットワーク共有フォルダを記憶し、ネットワーク共有フォルダが、複数のフォルダ（複数のディレクトリ）を含む。例えば、図４に示すように、複数フォルダ（複数ディレクトリ）を格納する。複数フォルダとして、例えば、第１のフォルダＦ１（フォルダ０３−１１１１−１１１１）、第２のフォルダＦ２（フォルダ０３−１１１１−１１１２）、第３のフォルダＦ３（２３４．１．１．２）、第４のフォルダＦ４（株式会社ｘｘｘ）を想定する。なお、フォルダとディレクトリを実質的に同義として説明する。
【００４４】
例えば、画像処理装置１００の不揮発性メモリ１０１４は、ファイル管理情報を記憶する。ＣＰＵ１０１１は、ファイル管理情報に基づきファイルを管理する。例えば、ファイル管理情報は、第１の出力制御情報（出力条件）を含む。第１の出力制御情報は、第１のフォルダＦ１の出力（送信）を制御するための情報であり、第１のフォルダＦ１のフォルダ名を送信先に設定し第１のフォルダＦ１に格納されたファイルをこの送信先に送信することを指示する情報である。ＣＰＵ１０１１は、第１の出力制御情報に基づき、送信先（フォルダ名）に対して、第１のフォルダＦ１に格納されたファイルを送信（転送）するように制御する。これに対応して、通信部１０６は、前記送信先（電話番号０３−１１１１−１１１１）に対して第１のフォルダＦ１に格納されたファイルを送信（転送）する。
【００４５】
また、ファイル管理情報は、第２の出力制御情報（出力条件）を含む。第２の出力制御情報は、第２のフォルダＦ２の出力（送信）を制御するための情報であり、第２のフォルダＦ２のフォルダ名を送信先に設定し第２のフォルダＦ２に格納されたファイルをこの送信先に送信することを指示する情報である。ＣＰＵ１０１１は、第２の出力制御情報に基づき、送信先（フォルダ名）に対して、第２のフォルダＦ２に格納されたファイルを送信（転送）するように制御する。これに対応して、通信部１０６は、前記送信先（電話番号０３−１１１１−１１１２）に対して第２のフォルダＦ２に格納されたファイルを送信（転送）する。
【００４６】
また、ファイル管理情報は、第３の出力制御情報（出力条件）を含む。第３の出力制御情報は、第３のフォルダＦ３の出力（送信）を制御するための情報であり、第３のフォルダＦ３のフォルダ名を送信先に設定し第３のフォルダＦ３に格納されたファイルをこの送信先に送信することを指示する情報である。ＣＰＵ１０１１は、第３の出力制御情報に基づき、送信先（フォルダ名）に対して、第３のフォルダＦ３に格納されたファイルを送信（転送）するように制御する。これに対応して、通信部１０６は、前記送信先（アドレス２３４．１．１．２）に対して第３のフォルダＦ３に格納されたファイルを送信（転送）する。
【００４７】
また、ファイル管理情報は、第４の出力制御情報（出力条件）を含む。第４の出力制御情報は、第４のフォルダＦ４の出力（送信）を制御するための情報であり、第４のフォルダＦ４に格納されたファイルの送信先（電話番号、アドレス等）を示す情報を含み、第４のフォルダＦ４に格納されたファイルをこの送信先に送信することを指示する情報である。ＣＰＵ１０１１は、第４の出力制御情報に基づき、送信先（電話番号、アドレス等）に対して、第４のフォルダＦ４に格納されたファイルを送信（転送）するように制御する。これに対応して、通信部１０６は、前記送信先（電話番号、アドレス等）に対して第４のフォルダＦ４に格納されたファイルを送信（転送）する。
【００４８】
また、ファイル管理情報は、第５の出力制御情報（出力条件）を含むこともできる。例えば、第５の出力制御情報は、第３のフォルダＦ３の出力（送信）を制御するための情報であり、第３のフォルダＦ３に格納されたファイルのプリントアウトを指示する情報である。ＣＰＵ１０１１は、第３及び第５の出力制御情報に基づき、第３のフォルダＦ３のフォルダ名の送信先に対して、第３のフォルダＦ３に格納されたファイルを送信（転送）するように制御し、加えて、第３のフォルダＦ３に格納されたファイルのプリントアウトを指示する。これに対応して、通信部１０６は、前記送信先に対して第３のフォルダＦ３に格納されたファイルを送信（転送）し、加えてプリントアウトを指示する。
【００４９】
例えば、画像処理装置２００が、前記送信先に該当する場合、画像処理装置２００は、第３のフォルダＦ３に格納されたファイルを受信し、これらファイルのプリントアウトの指示を受信する。これに対応して、画像処理装置２００のデータ記憶部２０４は、受信したファイルを格納し、画像処理装置２００の画像形成部２０５は、受信したファイルに基づく画像をプリントアウトする。
【００５０】
また、ファイル管理情報は、第６の出力制御情報（出力条件）を含むこともできる。例えば、第６の出力制御情報は、第４のフォルダＦ４の出力（送信）を制御するための情報であり、第４のフォルダＦ４に格納されたファイルのプリントアウトを指示する情報である。ＣＰＵ１０１１は、第４及び第６の出力制御情報に基づき、送信先（電話番号、アドレス等）に対して、第４のフォルダＦ４に格納されたファイルを送信（転送）するように制御し、加えて、第４のフォルダＦ４に格納されたファイルのプリントアウトを指示する。これに対応して、通信部１０６は、前記送信先（電話番号、アドレス等）に対して第４のフォルダＦ４に格納されたファイルを送信（転送）し、加えてプリントアウトを指示する。
【００５１】
例えば、画像処理装置２００が、前記送信先に該当する場合、画像処理装置２００は、第４のフォルダＦ４に格納されたファイルを受信し、これらファイルのプリントアウトの指示を受信する。これに対応して、画像処理装置２００のデータ記憶部２０４は、受信したファイルを格納し、画像処理装置２００の画像形成部１０５は、受信したファイルに基づく画像をプリントアウトする。
【００５２】
上記したように、画像処理装置１００は、第１〜第４の出力制御情報により、各フォルダに格納されたファイルを設定された送信先に自動送信（自動転送）することができる。また、画像処理装置１００は、複数の出力条件（第３及び第５の出力制御情報、又は第４及び第６の出力制御情報）が設定されたフォルダ（第３のフォルダＦ３又は第４のフォルダＦ４）を利用し、このフォルダに格納された１以上のファイルを１以上の送信先に自動送信（自動転送）するとともに、送信先（例えば画像処理装置２００）で送信ファイルを自動プリントアウトさせることができる。
【００５３】
次に図５を参照し、第２の実施形態に係るデータ転送の一例について説明する。例えば、画像処理装置１００のＣＰＵ１０１１は、第１のフォルダＦ１、第２のフォルダＦ２、第３のフォルダＦ３、第４のフォルダＦ４を監視する。
【００５４】
例えば、ネットワークに接続された画像入力装置が、ネットワーク共有フォルダを宛先として画像ファイルを転送した場合（ＡＣＴ２１）、画像処理装置１００の通信部１０６は、前記画像ファイルを受信し、ＣＰＵ１０１１は、ネットワーク共有フォルダの第１のフォルダＦ１に画像ファイルを格納するよう制御し、第１のフォルダＦ１に画像ファイルが格納される。
【００５５】
ＣＰＵ１０１１は、第１のフォルダＦ１に画像ファイルが格納されたことを検出し、ファイル管理情報に基づき第１のフォルダＦ１に格納された画像ファイルの出力を制御する。例えば、ＣＰＵ１０１１は、第１の出力制御情報に基づき、送信先（フォルダ名）に対して、第１のフォルダＦ１に格納された画像ファイルを送信（転送）するように制御する（ＡＣＴ２２、ＹＥＳ、ＡＣＴ２３、ＹＥＳ）。これに対応して、通信部１０６は、前記送信先（電話番号０３−１１１１−１１１１）に対して第１のフォルダＦ１に格納された画像ファイルを送信（転送）する（ＡＣＴ２５）。
【００５６】
また、ＣＰＵ１０１１が、ネットワーク共有フォルダの第４のフォルダＦ４に画像ファイルを格納するよう制御し、第４のフォルダＦ４に画像ファイルが格納された場合には、ＣＰＵ１０１１は、ファイル管理情報に基づき第４のフォルダＦ４に格納された画像ファイルの出力を制御する。例えば、ＣＰＵ１０１１は、第４の出力制御情報に基づき、第４のフォルダＦ４に対応付けられた送信先（電話番号、アドレス等）を検索し、検索された送信先に対して、第４のフォルダＦ４に格納された画像ファイルを送信（転送）するように制御する（ＡＣＴ２２、ＹＥＳ、ＡＣＴ２３、ＮＯ、ＡＣＴ２４）。これに対応して、通信部１０６は、検索された送信先に対して第４のフォルダＦ４に格納された画像ファイルを送信（転送）する（ＡＣＴ２５）。
【００５７】
以下、第２の実施形態についてまとめる。
【００５８】
第２の実施形態の画像処理装置（画像転送装置）は、ネットワークに接続され、ネットワーク共有フォルダを備え、ネットワーク共有フォルダと通信相手先のアドレス(IPv4/IPv6)又は電話番号情報とを関連付けて管理する。例えば、ネットワークに接続されたネットワーク機器が、ネットワークファイル転送プロトコル(SMB又はNFS)を使用して、上記ネットワーク共有フォルダにファイルを格納する。これに対応して、画像処理装置（画像転送装置）は、ネットワーク共有フォルダに関連付けられたアドレス又は電話番号情報を用いて、ネットワーク共有フォルダに格納されたファイルを自動転送する。つまり、ネットワーク共有フォルダにファイルが格納されてから、ユーザが通信相手先を指定しなくても、画像処理装置（画像転送装置）は、ネットワーク共有フォルダに関連付けられたアドレス又は電話番号情報に基づき、ネットワーク共有フォルダに格納されたファイルを自動転送する。
【００５９】
しかも、画像処理装置（画像転送装置）は、ネットワーク共有フォルダのフォルダ名をそのまま送信先として設定し、この送信先に対して、ネットワーク共有フォルダに格納されたファイルを自動転送することもできる。
【００６０】
即ち、第２の実施形態の画像処理装置（画像転送装置）は、下記の通りである。
【００６１】
（１）画像処理装置（画像転送装置）は、ネットワーク上のファイル共有機能を備え、さらに、ネットワーク上の送信用フォルダにデータを格納し、送信用フォルダのフォルダ名を送信先として設定し、この送信先に対して、送信用フォルダに格納されたデータを自動送信する送信機能を備える。
【００６２】
（２）また、画像処理装置（画像転送装置）は、ネットワーク上のファイル共有機能を備え、さらに、ネットワーク上の送信用フォルダにデータを格納し、送信用フォルダに対応付けられた電話番号又はアドレス等に対して、送信用フォルダに格納されたデータを自動送信する送信機能を備える。
【００６３】
（３）また、画像処理装置（画像転送装置）は、使用するネットワークがNGN(次世代ネットワーク)を主体とした場合、相手先指定方法として電話番号を使用する。
【００６４】
以下、第１及び第２の実施形態で説明したファイル管理情報についてさらに詳細に説明する。
【００６５】
フォルダ（上記した送信用フォルダ等）には、送信ファイルを送信先でどのように処理させるかを示す処理条件が設定される。すなわち、上記したファイル管理情報は、第５の出力制御情報（送信ファイルを送信先でプリントアウトさせる制御情報）等の処理条件を含む。又は、上記したファイル管理情報は、第６の出力制御情報（送信ファイルを送信先で保存させる制御情報）等の処理条件を含む。又は、上記したファイル管理情報は、第７の出力制御情報（送信ファイルを送信先で保存させ且つプリントアウトさせる制御情報）等の処理条件を含む。
【００６６】
第５〜第７の出力制御情報等の処理条件の設定方法の一例を説明する。図６は、ファイル管理情報が管理するフォルダの設定画面の一例である。ユーザは、例えば、画像処理装置１００のコントロールパネル１０７あるいはコンピュータ等のユーザ装置のユーザインターフェースを介して処理条件を設定する。
【００６７】
画像処理装置１００は、コントロールパネル１０７あるいは通信部１０６を介してコンピュータ等のユーザ装置から、フォルダの作成あるいは設定変更の指示を受け付けると、図６に示す設定画面をコントロールパネル１０７あるいは通信部１０６を介してユーザ装置のユーザインターフェースへ表示する。
【００６８】
図６に示すように、設定画面は、作成あるいは設定変更の対象となるフォルダを選択するためのフォルダ選択エリアＡ０１を備える。例えば、図６は、フォルダＦ０１が選択された状態を示す。フォルダＦ０１の入力エリアＡ０２には、フォルダＦ０１のフォルダ名が入力される。また、入力エリアＡ０３には、送信宛先が入力される。入力エリアＡ０３に入力された送信宛先は選択されたフォルダＦ０１に対応付けて設定される。
【００６９】
画像処理装置１００は、コントロールパネル１０７あるいは通信部１０６を介してユーザ装置から、送信ファイルを送信先でどのように処理させるかを示す処理条件を受け付ける。例えば、設定画面は、送信先の処理条件指定エリアＡ０４を含む。送信先の処理条件指定エリアＡ０４は、“プリントアウト”、“保存”、“保存＋プリントアウト”を含む。送信先の処理条件指定エリアＡ０４は、フォルダ毎に設定される。画像処理装置１００は、入力エリアＡ０３に設定された宛先情報に基づき、送信先の処理条件指定エリアＡ０４で指定された処理条件と、送信ファイルとを送信先（例えば画像処理装置２００）に送信する。送信先（例えば画像処理装置２００）は、処理条件と送信ファイルとを受信し、受信した処理条件に基づいて受信した送信ファイルを処理する。
【００７０】
“プリントアウト”が処理条件に含まれている場合、送信先（例えば画像処理装置２００）は、受信した送信ファイルをプリントアウトする。あるいは、“プリントアウト”が処理条件に含まれている場合、送信先（例えば画像処理装置２００）は、予めプリントアウトを実行させる装置として登録した別の画像形成装置へ受信した送信ファイルを転送する。
【００７１】
“保存”が処理条件に含まれている場合、送信先（例えば画像処理装置２００）は、受信した送信ファイルを指定された保存先（記憶装置）へ保存する。
【００７２】
“保存+プリントアウト”が処理条件に含まれている場合、送信先（例えば画像処理装置２００）は、受信した送信ファイルを指定された保存先（記憶装置）へ保存し、且つプリントアウトする。あるいは、“保存+プリントアウト”が処理条件に含まれている場合、送信先（例えば画像処理装置２００）は、受信した送信ファイルを指定された保存先（記憶装置）へ保存し、且つ予めプリントアウトを実行させる装置として登録した別の画像形成装置へ受信した送信ファイルを転送する。
【００７３】
上記説明した少なくとも一つの実施形態によれば、データ転送に優れたデータ転送装置及びデータ転送方法を提供することができる。
【００７４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７５】
１００、２００…画像処理装置、１０１…システム制御部、１０２…画像読取部、１０３…データ処理部、１０４…データ記憶部、１０５…画像形成部、１０６…通信部、１０７…コントロールパネル
【図１】
2011172229.tif 000003
【図２】
2011172229.tif 000004
【図３】
2011172229.tif 000005
【図４】
2011172229.tif 000006
【図５】
2011172229.tif 000007
【図６】
2011172229.tif 000008